(57)【特許請求の範囲】
【請求項１】
複数の発光ダイオードを電気的に接続した光源部と、
前記発光ダイオードの電気的特性に関する特性情報を保持する特性設定部と、
第１、第２電極を有する第１口金と、
第３、第４電極を有する第２口金と、を備え、
外部電源から供給される直流電圧が、前記第１電極と第２電極間と、前記第３電極と第４電極間と、のいずれか一方に印加されると共に、前記光源部を構成する発光ダイオードのアノード側へ正電圧を供給し、
前記特性設定部は、前記第１電極と第２電極間と、前記第３電極と第４電極間と、の他方に接続されることを特徴とする光源モジュール。
【請求項２】
請求項１の光源モジュールと、
外部から直流電圧、もしくは入力される交流電圧を整流した整流電圧を電源として入力し、少なくとも一つのスイッチング素子を有し、該スイッチング素子をオンオフすることによって所望の電圧に変換して前記光源モジュールの前記第１口金、もしくは第２口金へ供給する電圧変換部と、
前記特性設定部へ前記第１口金、もしくは第２口金を介して電源を供給する設定用電
源と、
特性情報を判別する特性判別部と、を備えた点灯装置において、
前記第１口金と第２口金は、蛍光灯照明器具に取り付け可能な構造を有し、
前記特性判別部は、前記電圧変換部が接続される口金と異なる口金に発生する信号に応じて特性情報を判別することを特徴とする点灯装置。
【請求項３】
請求項２記載の点灯装置を備えることを特徴とする照明器具。
【発明の詳細な説明】
【技術分野】
【０００１】
本発明は、発光ダイオードを光源として使用した光源モジュール、この光源モジュールを点灯する点灯装置、およびそれを用いた照明器具に関するものである。
【背景技術】
【０００２】
従来、照明用の光源として蛍光ランプが主流であり、インバータ点灯装置を用いて高周波点灯する照明器具が広く普及している。また、近年、蛍光ランプに代表される放電ランプ以外の電気的光源として、発光ダイオード（ＬＥＤ）が注目を浴びている。発光ダイオードは特に寿命の観点において蛍光ランプより優れており、今後の技術向上によってベース照明用の蛍光ランプとして主流であるＦＨＦ３２を越える効率も期待されている。
【０００３】
しかしながら、発光ダイオードの技術進歩に対して複数の発光ダイオードを搭載した光源モジュールにおいては、光源モジュールから出力される光が略一定となるように、発光ダイオードの使用個数を設定し、また、発光ダイオードを直列接続するか並列接続するかを決定する必要がある。つまり、発光ダイオードの使用個数と接続形態を決めることで光源モジュールとしての電流値、電圧値を設計の都度、適切に設定しなければならない。
【０００４】
また、光源モジュールに電流供給する点灯装置においても、発光ダイオードの技術進歩に応じて省電力となるような適切な出力を出さなければならない。ところが、上述のように、発光ダイオード１個あたりの電気特性と使用個数、及び直列接続か並列接続かによって決まる光源モジュールの電流値、電圧値は様々な数値となってしまう。このため、例えば光源モジュールの側で、発光ダイオードの技術進歩に関わらず、必ず光源モジュールの電流値が一定となるような組み合わせ（発光ダイオードの特性、使用個数、接続形態）を実施する制約が生じる。
【０００５】
例えば発光ダイオード１個の電圧特性を３．５［Ｖ］とし、この発光ダイオードを５個直列接続した光源モジュール（以下、ＬＥＤモジュールと記す）の印加電圧が３．５×５＝１７．５［Ｖ］となる点灯装置に、同じ特性の発光ダイオードを４個直列接続したＬＥＤモジュールを接続すると、過電圧が印加され、過大な電流が流れる。
【０００６】
このような過大な電流による故障を防止する手段として、特許文献１（特開２００９−２２４０４６号公報）では、ＬＥＤモジュールの接続／分離を報知する報知用端子を設け、報知用端子からの報知信号に応じて過大電流を防止している。さらにＬＥＤモジュールへの出力電流が一定に保持される構成となっている。
【０００７】
特許文献２（特開２００９−２１１７５号公報）では、複数の発光ダイオードを搭載したＬＥＤモジュール個々に電気特性などに関わる情報を持ち、さらにＬＥＤモジュール個々に定電流を供給するための定電流回路を構成している。ＬＥＤモジュール個々に持つ情報は、複数のＬＥＤモジュールに電源供給可能な点灯装置に送られ、ＬＥＤモジュールの接続個数に見合った出力を行うよう制御している。
【先行技術文献】
【特許文献】
【０００８】
【特許文献１】特開２００９−２２４０４６号公報
【特許文献２】特開２００９−２１１７５号公報
【発明の概要】
【発明が解決しようとする課題】
【０００９】
特許文献１の例では、発光ダイオードの使用個数の違いのみを考慮しており、上述のような発光ダイオードの技術進歩については考慮していない。例えば発光ダイオード１個あたりの電圧特性を３．５［Ｖ］、電流特性を０．３［Ａ］とし、この発光ダイオードを１０個直列に接続した場合のＬＥＤモジュールの印加電圧は３．５×１０＝３５［Ｖ］、出力電流は０．３［Ａ］となる。仮に発光ダイオードの技術進歩によって、発光ダイオード１個あたりの電圧特性が３．０［Ｖ］、電流特性は０．２［Ａ］となった場合、これを８個直列に接続したＬＥＤモジュールの印加電圧は３．０×８＝２４［Ｖ］となる。発光ダイオード１個あたりの電圧特性が３．５［Ｖ］のものを７個直列に接続すると、３．５×７＝２４．５［Ｖ］であり、電圧特性の違いと発光ダイオードの使用個数の違いによる電圧差異は実質的に大きな違いとは言えない。しかしながら、出力電流が０．２［Ａ］であるものに０．３［Ａ］を流すことによって過大電流による異常発熱が生じ、故障または寿命劣化などの問題を生じてしまう。
【００１０】
また、発光ダイオードを用いた光源として、直管型の蛍光ランプと同じ口金構造、および同様なランプ形状を持ち、一般の蛍光ランプ用照明器具に取り付け可能な光源モジュールとする種々の提案がされている。直管型の蛍光ランプと同様に２つの口金を持つ光源について、これを以下、第１口金、第２口金と記すことにする。蛍光ランプでは、蛍光ランプが点灯していない場合には第１口金と第２口金間のインピーダンスは無限大に等しいため、蛍光ランプの使用者が照明器具に通電した状態でランプ交換を行い、第１口金の電極を照明器具のソケットに挿入し、このとき間違って第２口金の電極に触ってしまったとしても危険は無い。しかしながら、発光ダイオードを用いた光源では、例えば、第１口金にアノード側を接続し、第２口金にカソード側を接続したとすると、上述のようなランプ交換を行う際には、第１口金の電極をソケットに挿入した状態で第２口金の電極に触ってしまうと感電する恐れを生じる。
【００１１】
上述の特許文献１では、ＬＥＤモジュールの構造や電気的接続構造について詳細な記述は無いが、発光ダイオードへの通電端子と前記報知用端子とを一体化した出力用端子機構を採用することによって、あらかじめＬＥＤモジュールの取換え時に感電しないような特殊な、かつ新しい接続構造を開発すれば、感電の恐れは回避できる。しかしながら、上述のＬＥＤモジュールや出力用端子機構、及びこれらが取り付け可能な新たな照明器具に対して開発投資する必要がある。
【００１２】
特許文献２では、ＬＥＤモジュール個々に持つ情報はマイコンを用いることで構成されており、例えば発光ダイオードの技術進歩を想定した複数個の電気特性情報、個数情報、直列または並列接続するなどの接続情報を予め設定したデータテーブルを持ち、使用する発光ダイオードの特性、及び個数などに応じて該当するデータを選択するよう構成し、このデータを点灯装置が入力して適切な電流値を出力するよう制御することは可能である。
【００１３】
この技術を転用すれば、将来的な発光ダイオードの技術進歩に対応可能な点灯装置が実現可能であり、ＬＥＤモジュールのトータル電流を一定にしたり、発光ダイオードの特性や個数や複数の発光ダイオードの接続形態に制約を設けなくてもよい。
【００１４】
しかしながら、ＬＥＤモジュール個々にデータ記憶保持手段（マイコンなど）及びデータ記憶保持手段用の制御電源回路などを搭載する必要を生じるため、ＬＥＤモジュールの構成が複雑かつ高価になるとともに、ＬＥＤモジュール個々に搭載するデータ記憶保持手段用の制御電源をどのように生成するのかが大きな課題となる。
【００１５】
ＬＥＤモジュールが点灯する前にＬＥＤモジュール個々に持つ情報を読み出そうとすれば、例えばＬＥＤモジュールが点灯しない程度の電圧を常に点灯装置が出力して、この出力電圧を利用して制御電源を生成する方法か、点灯装置内で制御電源を生成し、別配線でＬＥＤモジュールに供給する方法が考えられる。前者の場合は、ＬＥＤモジュールが接続されていない場合にも常に点灯装置を動作し続ける必要があるため、余分な電力ロスを生じる。後者の場合は、点灯装置とＬＥＤモジュールとの間の配線が複雑化してしまう。
【００１６】
さらに、ＬＥＤモジュールと点灯装置とを接続する際には、発光ダイオードへの電流供給線とデータ記憶保持手段からの信号線とを誤結線なく接続できるような接続構造やソケット構造が必要とされ、また、ＬＥＤモジュールを取り替える際には、使用者または工事者が比較的簡単に交換できる構成とすることが望ましいが、従来技術では具体的な電気的接続構成の記述が無く、ＬＥＤモジュールの構造についても具体的な記述が無いため、ＬＥＤモジュール取換え時の感電の恐れを有する。その対策を講じるには、特許文献１と同様に新たに開発投資する必要を生じてしまう。
【００１７】
本発明は、上述のような点に鑑みてなされたものであり、発光ダイオードの技術進歩に対応可能であり、かつ一般的な蛍光ランプ用照明器具に安全に取り付け可能な、安価な光源モジュール、点灯装置、およびそれを用いた照明器具を提供することを目的とする。
【課題を解決するための手段】
【００１８】
請求項１の発明は、上記の課題を解決するために、図１、図３に示すように、複数の発光ダイオードＬＥＤ１を電気的に接続した光源部１と、前記発光ダイオードＬＥＤ１の電気的特性に関する特性情報を保持する特性設定部２と、第１、第２電極Ａ１，Ａ２を有する第１口金２３と、第３、第４電極Ｂ１，Ｂ２を有する第２口金２４と、を備え、外部電源から供給される直流電圧が、前記第１電極Ａ１と第２電極Ａ２間と、前記第３電極Ｂ１と第４電極Ｂ２間と、のいずれか一方に印加されると共に、前記光源部１を構成する発光ダイオードＬＥＤのアノード側へ正電圧を供給し、前記特性設定部２は、前記第１電極Ａ１と第２電極Ａ２間と、前記第３電極Ｂ１と第４電極Ｂ２間と、の他方に接続されることを特徴とする光源モジュールである。
【００１９】
請求項２の発明は、図２、図３に示すように、請求項１の光源モジュール（ＬＥＤモジュール２１）と、外部から直流電圧、もしくは入力される交流電圧を整流した整流電圧を電源として入力し、少なくとも一つのスイッチング素子を有し、該スイッチング素子をオンオフすることによって所望の電圧に変換して前記光源モジュール２１の前記第１口金２３、もしくは第２口金２４へ供給する電圧変換部８と、前記特性設定部２へ前記第１口金２３、もしくは第２口金２４を介して電源を供給する設定用電源３と、特性情報を判別する特性判別部４と、を備えた点灯装置において、前記第１口金２３と第２口金２４は、蛍光灯照明器具（図９参照）に取り付け可能な構造を有し、前記特性判別部４は、前記電圧変換部８が接続される口金２３と異なる口金２４に発生する信号に応じて特性情報を判別することを特徴とするものである。
【００２０】
請求項３の発明は、請求項２記載の点灯装置を備えることを特徴とする照明器具である（図９）。
【発明の効果】
【００２１】
請求項１の発明によれば、特性設定部に発光ダイオードの電気的特性に対応した特性情報を予め設定することにより、発光ダイオードの技術進歩に対応可能である。請求項２の発明によれば、請求項１の光源モジュールを安定に点灯可能な点灯装置を実現できる。請求項３の発明によれば、一般的な蛍光ランプ用照明器具に光源モジュールを安全に取り付け可能である。
【図面の簡単な説明】
【００２２】
【図１】本発明の実施形態１のＬＥＤモジュールの回路図である。
【図２】本発明の実施形態１の点灯装置の回路図である。
【図３】本発明の実施形態１のＬＥＤモジュールの概略構造を示す斜視図である。
【図４】本発明の実施形態１の特性設定部の具体的な構成を示す回路図である。
【図５】本発明の実施形態１の特性設定部の動作波形図である。
【図６】本発明の実施形態１の特性設定部の設定が異なる場合の動作波形図である。
【図７】本発明の実施形態１の特性判別部の動作説明図である。
【図８】本発明の実施形態１の動作開始時の各部の波形図である。
【図９】本発明の実施形態１のＬＥＤモジュールを装着した照明器具の斜視図である。
【図１０】本発明の実施形態２のＬＥＤモジュールの回路図である。
【図１１】本発明の実施形態２のＬＥＤモジュールの一変形例の回路図である。
【図１２】本発明の実施形態３のＬＥＤモジュールの回路図である。
【図１３】本発明の実施形態３の点灯装置の回路図である。
【図１４】本発明の実施形態３の特性判別部の動作説明図である。
【図１５】本発明の実施形態４の点灯装置の回路図である。
【図１６】本発明の実施形態４の点灯装置の動作説明のための特性図である。
【図１７】本発明の実施形態４の特性設定情報と設定電流の関係を示す特性図である。
【図１８】本発明の実施形態４の動作開始時の各部の波形図である。
【発明を実施するための形態】
【００２３】
（実施形態１）
図１は本発明の実施形態１のＬＥＤモジュールの回路構成である。同図に示すように、ＬＥＤモジュール２１は、複数個の発光ダイオードＬＥＤ１を直列に接続した光源部１と、発光ダイオードＬＥＤ１の特性情報、例えば、狙いとする電流値に対応した情報を設定する特性設定部２とを備えている。光源部１のアノード側はＬＥＤモジュール２１の外部に設けられる点灯装置に電気的に接続分離が可能な接続端子Ａ１に接続され、光源部１のカソード側は接続端子Ａ２に接続されている。特性設定部２は接続端子Ｂ１とＢ２間に接続される。
【００２４】
図３はＬＥＤモジュール２１の構造例である。同図に示すように、光源部１を構成する複数個の発光ダイオードＬＥＤ１を実装した１個若しくは複数個の基板を接続して面形状が長方形とし、これを透光性を持った筐体２２内に収め、筐体２２の一端側に上述の接続端子Ａ１とＡ２を有する口金２３を設け、他端側に接続端子Ｂ１とＢ２を有する口金２４を設けている。
【００２５】
このＬＥＤモジュール２１の筐体２２の形状、および接続端子Ａ１とＡ２、およびＢ１とＢ２の端子間距離や端子形状は、図９に示す直管型蛍光ランプ用照明器具２０の器具本体２５に取り付けられたソケット部２６、２７へ取り付け可能な構造、形状となっている。
【００２６】
特性設定部２については図３で図示していないが、後述するような電子部品を用いることで複数の発光ダイオードＬＥＤ１と同一の基板上に実装することができ、接続端子Ｂ１、Ｂ２の近傍に実装する。このＬＥＤモジュール２１を構成する光源部１、および特性設定部２は、上述の接続端子Ａ１、Ａ２、Ｂ１、Ｂ２を介して、図２のブロック図に示すような構成の点灯装置に接続される。
【００２７】
図２の点灯装置は、少なくとも一つのスイッチング素子（図示はしていない）を有し、このスイッチング素子をオンオフすることで、ＬＥＤモジュール２１へ電流を供給して点灯する電圧変換部８と、所望の出力となるよう電圧変換部８のスイッチング素子へ駆動信号を出力する出力調整部６と、出力調整部６などの制御回路へ制御電源を供給する制御電源７と、制御電源７から供給される電源を入力し、上述の特性設定部２へ制御電源供給を行う設定用電源３と、設定用電源３から特性設定部２へ制御電源を供給する同一配線の波形を検出し、検出結果に基づいて上述の出力調整部６を制御する特性判別部４と、ＬＥＤモジュール２１の接続の有無を判別する接続判別部５とを有している。
【００２８】
図１に示すＬＥＤモジュール２１を構成する発光ダイオードＬＥＤ１の電気的特性を例えば０．３［Ａ］、３．５［Ｖ］とし、５０個直列に接続するものとすると、光源部１に電圧変換部８から供給する電流を０．３［Ａ］とすることで、光源部１の両端電圧は３．５［Ｖ］×５０個＝１７５［Ｖ］となり、光源部１の消費電力は３．５［Ｖ］×０．３［Ａ］×５０個＝５２．５［Ｗ］となる。
【００２９】
電圧変換部８は例えば、降圧チョッパ、または昇圧チョッパと降圧チョッパの併用などの構成として、前記ＬＥＤモジュール２１を点灯できる直流電力を供給する構成であるなら、どのような構成でも良い。
【００３０】
特性設定部２は、電圧変換部８から供給される電流が、例えば０．３５［Ａ］から０．１０［Ａ］までの所望のレべルで供給できるように、個々の設定電流の情報を有するよう構成されている。上述の例の発光ダイオードＬＥＤ１においては、０．３［Ａ］を流す必要があるため、発光ダイオードＬＥＤ１を用いたＬＥＤモジュール２１においては、設定電流０．３［Ａ］を示す情報を有するように構成される。
【００３１】
図４に特性設定部２のより具体的な構成を示す。本例での設定用電源３は主に電流源で構成され、上述のように接続端子Ｂ１を介して特性設定部２へ制御電源を供給している。さらに、この接続端子Ｂ１と同電位の配線の波形を特性判別部４と接続判別部５に入力して出力調整部６を制御している。
【００３２】
設定用電源３から接続端子Ｂ１、Ｂ２間に入力された制御電源は、ダイオードＤ１を介してツェナーダイオードＺＤ１とコンデンサＣ２との並列回路に入力されている。上述の制御電源は、ツェナーダイオーＺＤ１のツェナー電圧Ｖｚ１にクランプされるとともに、コンデンサＣ２によって平滑化されている。図４に示すように、設定用電源３を定電流源とすることによって、ツェナーダイオードＺＤ１に流れるツェナー電流を適正値に制限することができる。設定用電源３から入力された制御電源をクランプしたツェナー電圧Ｖｚ１は、主にミラー回路Ｍ１、Ｍ２、比較器ＣＰ１、トランスファゲート回路Ｇ、抵抗Ｒ２とＲ３の直列回路、抵抗Ｒ４とＲ５との直列回路へ供給される。
【００３３】
抵抗Ｒ２とＲ３の直列回路は、ツェナー電圧Ｖｚ１を抵抗分圧することで基準電圧Ｖｒｅｆ１を生成する。抵抗Ｒ４とＲ５との直列回路は、ツェナー電圧Ｖｚ１を抵抗分圧することで基準電圧Ｖｒｅｆ２を生成する。基準電圧Ｖｒｅｆ１、Ｖｒｅｆ２はトランスファゲート回路Ｇを介して比較器ＣＰ１の＋入力端子へ供給される。ミラー回路Ｍ１は抵抗Ｒ１によって決まる電流ｉ１をコンデンサＣ１、及びミラー回路Ｍ２へ供給している。ミラー回路Ｍ２に流れる電流ｉ２は、ミラー比を変えることでｉ２＞ｉ１となるよう設定されている。
【００３４】
比較器ＣＰ１の出力信号に応じてオンオフするスイッチング素子Ｑ１がオンの場合にはｉ２＝０となるため、コンデンサＣ１に電流ｉ１を吐き出し、スイッチング素子Ｑ１がオフの場合には（ｉ１−ｉ２）が負電流となるため、コンデンサＣ１から電流（ｉ２−ｉ１）を吸い込むよう動作する。
【００３５】
このコンデンサＣ１の電圧波形は、図５（ｂ）に示すような比較器ＣＰ１の出力電圧に応じて、トランスファゲート回路Ｇにより基準電圧Ｖｒｅｆ１、Ｖｒｅｆ２を切り替えることで同図（ａ）に示すように充電時間Ｔ１を有する三角波の電圧波形となる。
【００３６】
さらに、比較器ＣＰ１の出力はスイッチング素子Ｑ３のゲートへ入力され、スイッチング素子Ｑ３のオンオフによってスイッチング素子Ｑ２をオンオフする。スイッチング素子Ｑ２のドレインを接続端子Ｂ１と同電位の配線に接続しているため、スイッチング素子Ｑ２のドレイン電圧、すなわち接続端子Ｂ１の電圧は図５（ｃ）に示すようにコンデンサＣ１の充電時間Ｔ１に略等しい“Ｈ”期間を持つ波形となる。
【００３７】
スイッチング素子Ｑ２がオフの場合の接続端子Ｂ１の電圧は、ダイオードＤ１のオン電圧とツェナーダイオードＺＤ１のツェナー電圧Ｖｚ１との和の電圧値Ｖｏｕｔとなる。また、スイッチング素子Ｑ２がオンしている場合は、設定用電源３から入力される制御電源電流がスイッチング素子Ｑ２を流れてしまうが、このときは平滑コンデンサＣ２に充電された電圧で回路動作を継続する。
【００３８】
ここで、抵抗Ｒ２とＲ３の直列回路で生成される基準電圧Ｖｒｅｆ１について、基準電圧Ｖｒｅｆ１よりも低い基準電圧Ｖｒｅｆ１’となるように、抵抗Ｒ２とＲ３との分圧比を変えた場合、図６（ａ）に示すようにコンデンサＣ１の充電時間は期間Ｔ１より短い期間Ｔ１’となる。この場合、スイッチング素子Ｑ２のドレイン電圧、すなわち接続端子Ｂ１の電圧の“Ｈ”期間も、同図（ｃ）に示すように短い期間Ｔ１’に略等しい波形となる。
【００３９】
特性判別部４は、主にマイコンで構成されており、この接続端子Ｂ１の電圧の“Ｈ”期間を読み取るような時間読み出し処理を行う。そして、図７に示す関係となるように、読み出した時間に対応する設定電流を演算によって求める。または予め記憶されたデータテーブルから設定電流を読み出す。特性判別部４は、このようにして得られた設定電流に調整するように、出力調整部６へ動作信号を出力する。
【００４０】
例えば、電気的特性が０．３［Ａ］、３．５［Ｖ］となる発光ダイオードＬＥＤ１を５０個直列に接続したＬＥＤモジュール２１が接続された場合には、特性設定部２によって決まる接続端子Ｂ１の電圧の“Ｈ”期間を図５の期間Ｔ１となるように設定する。また、発光ダイオードの特性が異なるＬＥＤ２の電気的特性が例えば０．２５［Ａ］、３．５［Ｖ］であり、これを４０個直列に接続したＬＥＤモジュール２１’を点灯装置に接続した場合には、特性設定部２によって決まる接続端子Ｂ１の電圧の“Ｈ”期間が図６の期間Ｔ１’となるように設定する。
【００４１】
このように設定することで特性設定部２で設定される接続端子Ｂ１の電圧の“Ｈ”期間の長さがＬＥＤモジュール２１へ供給される設定電流に対応した情報となる。
【００４２】
次に、特性判別部４と同様に接続端子Ｂ１と同電位の配線の波形を入力する接続判別部５の動作について説明する。接続判別部５は比較器、または特性判別部４と同様にマイコンなどで構成し、接続端子Ｂ１の電圧値を検出するよう構成されている。ＬＥＤモジュール２１が点灯装置に接続されているとき、接続端子Ｂ１の電圧は、ダイオードＤ１のオン電圧とツェナーダイオードＺＤ１のツェナー電圧Ｖｚ１との和の電圧値Ｖｏｕｔとなる。一方、ＬＥＤモジュール２１が外れているときには、ツェナーダイオードＺＤ１のツェナー電圧Ｖｚ１によってクランプされなくなるために、上述の電圧値Ｖｏｕｔよりも高い電圧値になる。この関係を利用して、接続判別部５は接続端子Ｂ１の電圧値が所定値Ｖｒｅｆ３より高くなるとＬＥＤモジュール２１が接続されていないと判定する（図８（ａ）参照）。
【００４３】
接続判別部５は、ＬＥＤモジュール２１が接続されていないと判定した場合、電圧変換部８からＬＥＤモジュール２１への電流供給を停止するように、出力調整部６へ停止信号を出力する。またこのとき、図示はしていないが、特性設定部２の情報に基づく特性判別部４における情報判別処理や設定電流の調整処理も、同様に停止信号に応じて停止するような構成とすることが望ましい。その場合、特性判別部４と接続判別部５は同じマイコンで構成しても良い。
【００４４】
図８のタイミングチャートは、ＬＥＤモジュール２１を接続した場合のシーケンス動作を示している。時間ｔ０まではＬＥＤモジュール２１が未接続である。このとき、同図（ａ）に示すように設定用電源３の出力電圧は、ＬＥＤモジュール２１の未接続を判定する所定のしきい値Ｖｒｅｆ３よりも高くなっている。このため、同図（ｃ）に示すように出力調整部６から電圧変換部８へ駆動信号は出力されない。
【００４５】
次に、時間ｔ０にＬＥＤモジュール２１を接続すると、ＬＥＤモジュール２１の特性設定部２へ設定用電源３から定電流で供給される制御電源によって、同図（ｂ）に示すように、平滑コンデンサＣ２の電位が徐々に上昇し、時刻ｔ１においてツェナーダイオードＺＤ１のツェナー電圧Ｖｚ１に等しくなる。
【００４６】
この時間ｔ０からｔ１までの期間は特性設定部２の動作が安定しないために特性判別部４で誤判定する恐れがある。そこで、時刻ｔ０において接続判別部５によりＬＥＤモジュール２１が接続されたと判定した後、特性設定部２の動作が安定する時刻ｔ１までの時間は、特性判別部４での情報判別処理を停止するタイマ手段を設ける。そして、時間ｔ１以降に特性判別部４での情報判別処理を開始して、情報判別処理や設定電流の調整処理が完了した時間ｔ２から出力調整部６が駆動信号を出力する。
【００４７】
以上の構成とすることで、ＬＥＤモジュール２１において使用する発光ダイオードＬＥＤ１の特性に基づいた情報を予め設定し、この設定された情報に応じて点灯装置が適切な設定電流を供給することができるため、使用する発光ダイオードＬＥＤ１に過大な電流を供給して破損や寿命劣化を招くことがない。また、発光ダイオードＬＥＤ１の特性情報を判別するのと同一の配線でＬＥＤモジュール２１の接続の有無も判別することが可能であるので、省配線化され、ＬＥＤモジュール２１の未接続時には点灯装置の動作を停止するため、余分な電力消費がない。
【００４８】
さらに、図２に示すように、接続端子Ａ１，Ａ２側と接続端子Ｂ１，Ｂ２側とは電気的
に接続されているため、使用者や工事者がＬＥＤモジュールを交換したり取り付けする際
に、接続端子Ａ１，Ａ２からソケットへ挿入したときに、間違って接続端子Ｂ１，Ｂ２へ
触れてしまっても感電する恐れは無い。
【００４９】
この実施形態では、特性設定部２が持つ情報としてＬＥＤモジュール２１に流す設定電流を例に挙げて説明したが、ＬＥＤモジュール２１へ印加する電圧に基づく情報としてもよい。
【００５０】
また、制御電源７については回路構成を例示していないが、一般的技術で制御電源回路を構成すれば良い。例えば、電圧変換部８にインダクタを使用する場合には、そのインダクタの二次巻線からの帰還電力により制御電源回路を構成してもよい。
【００５１】
ＬＥＤモジュール２１はソケット部２５，２６（図９参照）に取り付け可能な端子間距離や端子形状を持つものとしたが、１つの口金で２端子を有する構造として、端子間距離を変えたり端子形状を変えたりしても、本実施形態の効果を得ることができる。この場合、ソケット部２５，２６は端子間距離や形状に応じて新規に開発する必要を生じることになるが、照明器具２０の器具本体２５はそのまま使用することができる。
【００５２】
（実施形態２）
図１０は本発明の実施形態２のＬＥＤモジュールの回路構成である。点灯装置の構成は実施形態１と同じである。実施形態１のＬＥＤモジュールとの違いとして、接続端子Ａ１およびＡ２は、整流器ＤＢ１の入力端に接続されており、その出力端の正出力側が光源部１のアノード側に接続され、整流器ＤＢ１の出力端の負出力側が光源部１のカソード側に接続されている。また、特性設定部２においても、点灯装置を構成する設定用電源から接続端子Ｂ１，Ｂ２へ供給される制御電源は、整流器ＤＢ２を介して特性設定部２へ供給されている。
【００５３】
特性設定部２の具体的な回路構成は図示していないが、実施形態１で説明したものと同様に、使用する発光ダイオードＬＥＤ１の特性情報に基づいた情報を予め設定し、この設定された情報に応じて点灯装置が適切な設定電流を供給することができるように構成されるのであれば、どのような構成でも良い。
【００５４】
実施形態１においては、接続端子Ａ１とＡ２、もしくは接続端子Ｂ１とＢ２がそれぞれ極性を持つために、点灯装置とＬＥＤモジュールとの接続を正しく行わなければ、ＬＥＤモジュールは点灯しなかったり、使用するＬＥＤの特性情報が正しく読み取れなかったりする恐れがある。これに対して、本実施形態のようなＬＥＤモジュールの構成とすることによって、接続端子Ａ１とＡ２間、さらに接続端子Ｂ１とＢ２間の極性が無くなるため、誤結線による機能異常が少なく、また、誤結線時に不安全な現象を誘発する場合に必要となる保護機能を省略することが可能となる。
【００５５】
また、実施形態１（図１）と同様に、ＬＥＤモジュール２１の接続端子Ａ１，Ａ２側と接続端子Ｂ１，Ｂ２側とは電気的に絶縁されており、使用する発光ダイオードＬＥＤ１の特性情報に基づいた情報に応じて点灯装置が適切な設定電流を供給するため、感電や発光ダイオードの破損・劣化を招くことがない。
【００５６】
図１１は本発明の実施形態２のＬＥＤモジュールの別の構成例である。本例では、接続端子Ａ１，Ａ２間に接続される光源部が、４個の発光ダイオードを全波整流するように組み合わせた光源部１ｂと、光源部１ｂから出力される整流出力を入力する光源部１ａとから構成されている。発光ダイオードＬＥＤ１を全波整流するように組み合わせた光源部１ｂが、図１０のＬＥＤモジュール２１の整流器ＤＢ１としての機能を果たすと共に、発光部としての機能も果たしている点が異なる。
【００５７】
（実施形態３）
図１２は本発明の実施形態３のＬＥＤモジュールの回路構成を示す。本例でのＬＥＤモジュールの基本構成は実施形態２とほぼ同じであるが、内蔵される特性設定部２の具体構成は実施形態２とは異なっており、抵抗Ｒ６で構成されている。
【００５８】
点灯装置は図１３のブロック図に示すように、実施形態１（図２）とほぼ同様の構成となっている。違いとして、同図からも分かるように、ＬＥＤモジュール２１ａとＬＥＤモジュール２１ｂとを２個直列に接続できるように照明器具の内部の配線がなされている。点灯装置を構成する電圧変換部８の出力端は、ＬＥＤモジュール２１ａの接続端子Ａ１とＬＥＤモジュール２１ｂの接続端子Ａ２に接続され、ＬＥＤモジュール２１ａの接続端子Ａ２とＬＥＤモジュール２１ｂの接続端子Ａ１とを接続している。また、点灯装置を構成する設定用電源３の出力端は、ＬＥＤモジュール２１ａの接続端子Ｂ１とＬＥＤモジュール２１ｂの接続端子Ｂ２に接続され、ＬＥＤモジュール２１ａの接続端子Ｂ２とＬＥＤモジュール２１ｂの接続端子Ｂ１とを接続している。これにより、ＬＥＤモジュール２１ａの特性設定部２とＬＥＤモジュール２１ｂの特性設定部２との直列回路へ、設定用電源３から制御電源を供給している。
【００５９】
本例での設定用電源３の具体構成は実施形態１，２と同様に定電流源で構成すれば良く、定電流源から供給される電流Ｉｒｅｆと特性設定部２を構成する抵抗Ｒ６の抵抗値Ｒｓｅｔとの積によって決まる電圧値に応じて、情報の判別を行うように構成される。
【００６０】
図１４は特性設定情報と設定電流の関係を示す特性図である。発光ダイオードＬＥＤ１の特性に基づいた情報は、例えば、特性設定部２を構成する抵抗Ｒ６の抵抗値Ｒｓｅｔの定数を変えることで、図１４に示すような出力特性となるよう構成される。
【００６１】
ＬＥＤモジュール２１ａとＬＥＤモジュール２１ｂへ同じ電流を供給する場合、それぞれの特性設定部２を構成する抵抗Ｒ６の抵抗値Ｒｓｅｔは同値で良く、特性判別部４へ入力される電圧信号をＶ１とすると、Ｖ１＝２×Ｖ１’＝２×Ｒｓｅｔ×Ｉｒｅｆで求まり、このとき、ＬＥＤモジュール２１ａ、およびＬＥＤモジュール２１ｂへ電流Ｉ１が供給される。
【００６２】
具体的には、例えば、電気的特性が０．３［Ａ］、３．５［Ｖ］となる発光ダイオードＬＥＤ１を直列に接続したＬＥＤモジュール２１ａ，２１ｂが接続された場合においては、特性設定部２を構成する抵抗Ｒ６の抵抗値Ｒｓｅｔを２０［ｋΩ］とし、上述の電流源Ｉｒｅｆを１００［μＡ］と設定すれば、２×２０［ｋΩ］×１００［μＡ］＝４［Ｖ］となる信号が特性判別部４へ入力され、このときに０．３［Ａ］が供給されるように制御すれば良い。
【００６３】
また、特性が異なる発光ダイオードＬＥＤ２が用いられ、その電気的特性が例えば０．２５［Ａ］、３．５［Ｖ］であり、これを直列に接続したＬＥＤモジュール２１ａ，２１ｂを点灯装置に接続した場合においては、特性設定部２を構成する抵抗をＲｓｅｔ’＜Ｒｓｅｔとし、このとき特性判別部４へ入力される信号Ｖ２に応じてＬＥＤモジュール２１ａ及びＬＥＤモジュール２１ｂへ供給される電流Ｉ２を０．２５［Ａ］となるように制御すれば良い。
【００６４】
さらに、接続判別部５に入力される信号レベルがＶ１より高い値の場合には、光源モジュールが未接続と判定し、このとき電圧変換部８からＬＥＤモジュールへの電流供給を停止するように出力調整部６へ停止信号を出力するものとする。これにより、ＬＥＤモジュール２１ａとＬＥＤモジュール２１ｂの特性設定部２の少なくとも一方が接触不良であった場合には、接続判別部５においてＬＥＤモジュールへの電流供給を停止することができる。
【００６５】
また、配線不良のために、特性設定部２が短絡されたとしても、図１４に示すような出力特性であれば、ＬＥＤモジュールへの電流供給を最小の電流値に制御することができる。
【００６６】
さらに付け加えると、２つのＬＥＤモジュールのうち一方に、電気的特性が０．３［Ａ］、３．５［Ｖ］となる発光ダイオードＬＥＤ１が用いられ、他方のＬＥＤモジュールでは、電気的特性が０．２５［Ａ］、３．５［Ｖ］となるＬＥＤ２が用いられ、これら２種類のＬＥＤモジュールを２つ直列に接続して同時に点灯してしまった場合においても、特性判別部４へ入力される信号は、図１４に示す出力特性から分かるように、Ｖ２より高くＶ１より低い値となるため、過剰な電流Ｉ１が発光ダイオードＬＥＤ２で構成されるＬＥＤモジュールへ供給されることを抑制することもできる。
【００６７】
本例においても実施形態１，２と同様な効果を持ち、複数のＬＥＤモジュールを接続する場合においても、設定用電源から複数のＬＥＤモジュールの特性設定部へ接続される配線や、光源部へ接続される配線を比較的簡略化することができる。
【００６８】
また、点灯装置においても、複数のＬＥＤモジュールを接続可能とすることで端子を増設する以外は回路構成を複雑化する必要がなく、簡単かつ安価に実現することが可能である。
【００６９】
（実施形態４）
図１５は本発明の実施形態４の点灯装置の回路構成を示している。本例では電圧変換部８の構成を一般的に知られる降圧チョッパ回路構成としている。電圧変換部８は、交流電源を整流平滑したり、直流電源を昇圧チョッパ回路を用いて昇圧するなどして生成される直流電源ＤＣを入力している。直流電源ＤＣの正側出力端子にスイッチング素子Ｑ４のドレイン側を接続し、スイッチング素子Ｑ４のソース側に接続されたインダクタＬ１を介して平滑コンデンサＣ７、及びＬＥＤモジュール２１の接続端子Ａ１，Ａ２へ電流供給を行う。スイッチング素子Ｑ４のオンオフ駆動は、出力調整部６を構成する駆動回路９のＨｏｕｔ端子から出力される駆動信号に応じて行われる。スイッチング素子Ｑ４がオンすることでインダクタＬ１に電流が流れて電磁エネルギーが蓄積される。スイッチング素子Ｑ４のオフ時にはインダクタＬ１に蓄積された電磁エネルギーがスイッチング素子Ｑ４のソース・グランド間に接続されたダイオードＤ４を介して放出される。
【００７０】
ＬＥＤモジュール２１の基本構成は実施形態３とほぼ同じであるが、特性設定部２は抵抗Ｒ６で構成され、接続端子Ａ１−Ａ２間に接続されている。特性設定部２へ制御電源供給を行う設定用電源３は、定電流源にて構成され、抵抗Ｒ７とダイオードＤ５との直列回路を介して、接続端子Ａ１−Ａ２間に接続される特性設定部２へ制御電源を供給している。また、抵抗Ｒ７とダイオードＤ５との接続点からグランド間に接続される抵抗Ｒ８へ制御電源を供給している。
【００７１】
さらに、ＬＥＤモジュール２１を構成する光源部１の発光ダイオードＬＥＤ１のカソード側が接続される接続端子Ａ１またはＡ２とグランド間に抵抗Ｒｓを有している。光源部１に流れた電流は抵抗Ｒｓを介してグランドに流れる。平滑コンデンサＣ７の充電電流も、この抵抗Ｒｓを介して流れるように接続されている。したがって、ＬＥＤモジュール２１に流れる電流と平滑コンデンサＣ７に流れる電流との合成電流を抵抗Ｒｓで検出していることになる。
【００７２】
この抵抗Ｒｓの抵抗値と流れる電流を乗じた検出電圧は、出力調整部６を構成するフィードバック演算回路１０へ入力される。フィードバック演算回路１０は主としてオペアンプＯＰ１で構成されている。上述の検出信号は抵抗Ｒ１２を介してオペアンプＯＰ１の負入力端子へ入力されている。オペアンプＯＰ１の負入力端子と出力端子の間にはコンデンサＣ４が接続され、一般的に知られる積分回路の構成となっている。一方、オペアンプＯＰ１の正入力端子へは特性判別部４から出力されるＬＥＤモジュール２１で設定された情報に基づく設定信号が入力されており、設定信号と検出信号とを積分演算し、その演算結果がオペアンプＯＰ１の出力端から出力される。オペアンプＯＰ１の出力端は抵抗Ｒ１４とダイオードＤ３を介して駆動回路９のＰｌｓ端子へ接続される。Ｐｌｓ端子は駆動回路９によるスイッチング素子Ｑ４のオンパルス幅制御端子である。
【００７３】
続いてこの駆動回路９のＰｌｓ端子の動作について簡単に説明する。駆動回路９の内部においてＰｌｓ端子に接続される回路は、例えば定電圧バッファ回路と、ミラー回路と、駆動信号設定用コンデンサを含んで構成されている。定電圧バッファ回路の出力であるＰｌｓ端子とグランド間に接続される抵抗Ｒ１３に流れる電流をミラー回路で変換し、駆動信号設定用コンデンサを充電したり放電したりできるような周知の構成としている。この駆動信号設定用コンデンサが所定電圧まで充電される時間をスイッチング素子Ｑ４へ出力される駆動信号の“Ｈ”期間であるＴｏｎと略等しいものとすると、Ｐｌｓ端子から抵抗Ｒ１３などに流れる電流Ｉｐｌｓと駆動信号の“Ｈ”期間であるＴｏｎとの関係は図１６に示すように設定される。つまり、Ｐｌｓ端子から吐き出される電流Ｉｐｌｓが大きいほど、駆動信号の“Ｈ”期間Ｔｏｎは短くなる。
【００７４】
ここで上述のフィードバック演算回路１０の動作説明に戻る。例えばインダクタＬ１を流れる電流が増大すると、抵抗Ｒｓにおいて検出される検出信号のレべルも増大する。このとき、フィードバック演算回路１０を構成するオペアンプＯＰ１の出力電圧は低下し、Ｐｌｓ端子からオペアンプＯＰ１へ吸い込まれる電流も増大する。このため、Ｐｌｓ端子から吐き出される電流Ｉｐｌｓも増大することとなる。Ｐｌｓ端子から吐き出される電流Ｉｐｌｓが増大することで駆動回路９は、Ｈｏｕｔ端子から出力される駆動信号の“Ｈ”期間Ｔｏｎを短くする方向へ制御して、インダクタＬ１の電流増大を抑える方向、すなわちＬＥＤモジュール２１への供給電流を抑える方向に制御されることになる。
【００７５】
駆動回路９において、スイッチング素子Ｑ４にＨｏｕｔ端子から駆動信号を出力するための制御回路用の制御電源は、ダイオードＤ２を介してコンデンサＣ５を充電することで得られる。この構成は、一般的に蛍光灯用インバータ回路として用いられるハーフブリッジ駆動回路の技術を用いることで容易に実現できるため、詳細説明は省略するが、スイッチング素子Ｑ５の役割について補足する。Ｈｏｕｔ端子から駆動信号を出力開始する前に、スイッチング素子Ｑ４のソースに電圧が発生していると、スイッチング素子Ｑ４のゲート駆動に十分な制御電源電圧をコンデンサＣ５に充電できないため、図１５に示すように、スイッチング素子Ｑ４のソースとグランド間にスイッチング素子Ｑ５を設けて、最初にスイッチング素子Ｑ５をオンしてスイッチング素子Ｑ４のソース電位を略０Ｖとした後に、スイッチング素子Ｑ４をオンオフ制御することが望ましい。スイッチング素子Ｑ４，Ｑ５を駆動するための駆動信号Ｈｏｕｔ、Ｌｏｕｔのタイミングチャートを図１８（ｅ），（ｆ）に示す。
【００７６】
次に本例での特性設定部２、特性判別部４、接続判別部５の動作を説明する。
上述の抵抗Ｒｓの抵抗値を数［Ω］以下とし、ＬＥＤモジュール２１の特性設定部２を構成する抵抗Ｒ６を数十［ｋΩ］以上とすることによって、抵抗Ｒｓが抵抗Ｒ６に与える影響は誤差レベルと考えてよいため、ここでは説明上、抵抗Ｒｓが無いものとする。また、説明上、ダイオードＤ５も無いものとする。
【００７７】
ＬＥＤモジュール２１が接続され、スイッチング素子Ｑ４がスイッチング動作していない場合、接続端子Ｂ１に発生する電圧は、設定用電源３から抵抗Ｒ６へ供給される電流値Ｉｒｅｆと抵抗Ｒ６の抵抗値Ｒｓｅｔによって決まる電圧値となる。この電圧値をもとに、図１７に示すような関係に基づいて設定電流を決定する。
【００７８】
実施形態１〜３においては、特性設定部２に発生する電圧値に応じて連続してＬＥＤモジュールへの供給電流が変わるように設定したが、本例においては、特性設定部２に発生する電圧値がＶ１以下であり、Ｖ２より高いときに、一定の電流Ｉ１をＬＥＤモジュールへ供給するよう制御している。
【００７９】
ＬＥＤモジュール２１が接続されていないときは、設定用電源３から供給される定電流は抵抗Ｒ７を介して抵抗Ｒ８へ供給されることになり、このときの抵抗Ｒ８の両端電圧をＶ１より高くなるように設定することで、接続判別部５において、所定の基準電圧と比較することでＬＥＤモジュール２１の接続有無の判定を行うことができる。ＬＥＤモジュール２１が外れている場合には、接続判別部５から駆動回路９のＲｅｓｅｔ端子へ停止信号を出力して、上述の駆動信号ＨｏｕｔとＬｏｕｔを停止する。駆動回路９は停止信号が入力されると、駆動信号の出力を禁止するよう構成される。
【００８０】
また、図１８（ｄ）に示すように、接続判別部５は電源投入後の所定時間（時間ｔ０からｔ１まで）は、駆動回路９のＲｅｓｅｔ端子へ停止信号を出力する。図示はしていないが、ＬＥＤモジュール２１が接続されていないときは、時間ｔ１以降も停止信号を出力し続ける。ＬＥＤモジュール２１が接続されているときは、同図（ｄ）に示すように、時間ｔ１で停止信号を解除して、上述のように、駆動信号Ｈｏｕｔ、Ｌｏｕｔの出力を開始する。
【００８１】
特性設定部２に発生する電圧は、同図（ｇ）に示すように、時間ｔ１までは上述のように、設定用電源３から抵抗Ｒ６へ供給される電流値Ｉｒｅｆと抵抗Ｒ６の抵抗値Ｒｓｅｔによって決まる電圧値となり、時間ｔ１以降は駆動信号Ｈｏｕｔ、Ｌｏｕｔの出力が開始され、電圧変換部８に所定の出力電圧が発生することによって電圧変換部８の出力電圧に等しい電圧となる。
【００８２】
特性判別部４に入力される信号は、同図（ｈ）に示すように、時間ｔ１までは特性設定部２に発生する電圧に等しく、時間ｔ１以降は抵抗Ｒ７と抵抗Ｒ８との分圧によって決まる電圧より特性設定部２に発生する電圧が高くなるため、設定用電源３から抵抗Ｒ６へ電流が供給されなくなる。このため、特性判別部４に入力される信号は抵抗Ｒ７とＲ８との分圧によって決まる電圧に等しくなる。よって、時間ｔ１以降はＬＥＤモジュール２１の情報を誤判別することを防止するため、特性判別部４による情報判別動作を停止する。
【００８３】
以上の動作をまとめると、図１８（ａ）に示すように、直流電源ＤＣが投入された直後の動作としては、まず、図１８（ｂ）に示すように、制御電源７から制御電源電圧の供給が開始される。この制御電源電圧が所定レベルに達する時間をｔ０とすると、ｔ０から設定用電源３は定電流Ｉｒｅｆにて制御電源供給を開始する（同図（ｃ））。このｔ０から特性判別部４、および接続判別部５は動作を開始するが、接続判別部５はタイマ手段を持ち、ＬＥＤモジュール２１の接続有無に関わらず、あらかじめ定められたｔ１までの期間は同図（ｄ）に示すように、停止信号を出力して駆動回路９から駆動信号が出力されることを禁止する。
【００８４】
一方、特性判別部４は特性設定部２であらかじめ設定された情報を時間ｔ１までの間に判別して、設定電流値に対応した設定信号をフィードバック演算回路１０へ出力する。時間ｔ１において、ＬＥＤモジュール２１が接続されている場合には、接続判別部５によって停止信号は解除されて、同図（ｆ）に示すように、駆動信号Ｈｏｕｔを出力する。この駆動信号Ｈｏｕｔに先立って、同図（ｅ）に示すように、駆動信号Ｌｏｕｔが短時間だけ出力されることにより、スイッチング素子Ｑ５がオンされて、ダイオードＤ２を介してコンデンサＣ５が充電される。このコンデンサＣ５を電源とすることで、Ｈｇｎｄ端子に対してＨｏｕｔ端子を高電位とすることができ、スイッチング素子Ｑ４のゲート駆動が可能となる。
【００８５】
なお、スイッチング素子Ｑ５がオンされるのは最初の１回だけで良く、スイッチング素子Ｑ４のオンオフが開始した後は、回生用ダイオードＤ４のオン時にスイッチング素子Ｑ４のソース電位が下がるので、このときに、ダイオードＤ２を介してコンデンサＣ５が充電される。
【００８６】
ｔ１時点でＬＥＤモジュール２１が接続されていない場合には、接続判別部５のタイマ手段による時間カウントを停止してｔ０の状態を維持し、ＬＥＤモジュール２１が接続されるまで、その状態を保持する。このとき、特性判別部４は特性判別動作を繰り返し行う。
【００８７】
ここで、本例で説明したようなＬＥＤモジュール、および点灯装置は実施形態１（図９）で説明したような照明器具に組み込まれるが、照明器具組み込みの際に、点灯装置からソケット間を電気的に接続する配線において、誤配線があった場合、具体的には接続端子Ａ１とＡ２、または接続端子Ｂ１とＢ２を誤配線した場合においては、本例での特性設定部２は極性の無い抵抗Ｒ６のみで構成されているため、上述のように特性判別部４による情報判別動作が行われて駆動信号の出力が開始される。
【００８８】
接続端子Ａ１とＡ２側の配線とＢ１とＢ２側の配線とを誤接続した場合に対応するためには、照明器具のソケット部２６と２７の両方に同じ回路を接続しておけば良い。つまり、図１５に示すように、電圧変換部８の出力端を接続端子Ａ１とＡ２に接続するほか、さらに接続端子Ｂ１とＢ２にも接続するよう構成することによって、特性設定部２および光源部１は、点灯装置の接続端子Ｂ１とＢ２側に接続されても動作するため、誤結線によって機能異常を起こすことはなく、そのまま使用することが可能である。
【００８９】
また、使用者が何らかの理由でＬＥＤモジュール２１を照明器具から外した後に再装着する場合においても、逆接続による機能異常を起こすことなく、そのまま使用することが可能である。
【００９０】
さらに例えば、接続判別部５を、入力電圧が所定電圧Ｖ３より低い場合（図１７参照）においても停止信号を出力するように構成すれば、接続端子Ａ１とＡ２間、または接続端子Ｂ１とＢ２間が何らかの要因で短絡した場合でも、停止信号を出力することで、点灯装置は停止状態を維持し、より安全に点灯装置とＬＥＤモジュールを使用することができる。
【００９１】
ここで、特性判別部４は、上述のように、駆動信号の出力開始後に特性判別動作を停止するものとしたが、図示していないが、接続判別部５から出力される停止信号に応じて特性判別動作を停止するよう構成しても良い。
【００９２】
以上のように、本例では実施形態１〜３と同等の効果を持ち、さらに照明器具内の誤配線や使用者が間違ってＬＥＤモジュールを逆方向に装着しても機能異常を起こすことなく、使用することができる。
【００９３】
さらに、ＬＥＤモジュールへの供給電流を検出してフィードバック制御を行うことでＬＥＤモジュールへの供給電流をより安定化することができるため、ＬＥＤモジュールへの過剰電流が確実に防止される。また、短絡や開放等、偶発的な電子部品故障や配線異常が起きた場合に点灯装置を停止することによって、大幅に信頼性が向上する。
【００９４】
接続端子Ａ１とＡ２、および接続端子Ｂ１とＢ２の端子間距離、形状を直管型蛍光ランプと同じものとすれば、照明器具を構成するソケット部２６，２７は、従来のものをそのまま使用することで、新規ソケットの開発投資を抑制することができる。
【００９５】
なお、１つの口金で２端子を有する構造のまま、端子間距離、形状を直管型蛍光ランプとは異なる設計とした場合は、対応するソケット部を新規に開発する必要があるが、照明器具本体は従来のものを使用することができる。
【符号の説明】
【００９６】
１    光源部
２    特性設定部
３    設定用電源
４    特性判別部
２１  ＬＥＤモジュール
【図１】
0005498240.tif 000002
【図３】
0005498240.tif 000003
【図２】
0005498240.tif 000004
【図４】
0005498240.tif 000005
【図５】
0005498240.tif 000006
【図６】
0005498240.tif 000007
【図７】
0005498240.tif 000008
【図８】
0005498240.tif 000009
【図９】
0005498240.tif 000010
【図１０】
0005498240.tif 000011
【図１１】
0005498240.tif 000012
【図１２】
0005498240.tif 000013
【図１３】
0005498240.tif 000014
【図１４】
0005498240.tif 000015
【図１５】
0005498240.tif 000016
【図１６】
0005498240.tif 000017
【図１７】
0005498240.tif 000018
【図１８】
0005498240.tif 000019